(57)【要約】      （修正有）【課題】浴槽への出入り時のみならず、該浴槽への接近移動時あるいは浴槽からの離間移動時においても浴槽利用者の姿勢保持を支援し得るとともに、その移動方向を浴槽に対面する方向とすることで、高い安全性を発揮する浴槽用手摺装置を提供する。【解決手段】浴槽３０の近傍の床面に載置される基台１と、基台上に立設配置された手摺ユニット２を備えた浴槽用手摺装置において、手摺ユニット２が、基台１上に立設された第１支柱５，８と、浴槽３０の側壁３１に取付けた固定具に立設された第２支柱１１と、これら各支柱５，８，１１の上端間に跨って側壁３１に対向する方向に延びる手摺体１２を備える。【選択図】図１
2020065889.tif 000002
【特許請求の範囲】
【請求項１】
浴槽の近傍の床面に載置される基台と、該基台上に立設配置された手摺ユニットを備えた浴槽用手摺装置であって、
上記手摺ユニットは、上記基台上に立設された第１支柱と、上記浴槽の側壁に取付けた固定具に立設された第２支柱と、これら第１支柱と第２支柱の上端間に跨って上記浴槽の側壁に対向する方向に延びる手摺体を備えたことを特徴とする浴槽用手摺装置。
【請求項２】
請求項１において、
上記手摺ユニットが、上記基台の幅方向の両端側にそれぞれ設けられていることを特徴とする浴槽用手摺装置。
【請求項３】
請求項１又は２において、
上記各支柱は、その高さ寸法が増減調整可能に構成されていることを特徴とする浴槽用手摺装置。
【請求項４】
請求項１，２又は３において、
上記第１支柱は、上記浴槽の側壁に対向する方向に複数個列設されていることを特徴とする浴槽用手摺装置。
【請求項５】
請求項１，２．３又は４において、
上記基台上と上記浴槽の底面上の何れか一方に、又は双方に、踏み台が配置されていることを特徴とする浴槽用手摺装置。
【発明の詳細な説明】
【技術分野】
【０００１】
本願発明は、浴槽に設置されて浴槽利用者の歩行移動時における安全確保に供される浴槽用手摺装置に関するものである。
【背景技術】
【０００２】
この種の手摺装置としては、特許文献１に示されるように、浴槽が設置された浴室の壁面にＩ形とかＬ形の手摺を取り付け、浴槽利用者が上記手摺を把持しながら浴槽への出入りできるようにした壁面固定タイプの手摺装置と、特許文献２に示されるように、浴槽の側壁に鞍座状態で着脱自在に取り付けられる取付け基台に対して、主として環状形体の小型の手摺を固定し、浴槽利用者が上記手摺を掴んで姿勢を保持しつつ浴槽に出入りできるようにした浴槽固定タイプの手摺装置が知られている。
【先行技術文献】
【特許文献】
【０００３】
【特許文献１】特開２０００−１８４９８１号公報
【特許文献２】特開２０１５−１７３７００号公報
【発明の概要】
【発明が解決しようとする課題】
【０００４】
ところが、壁面固定タイプの手摺装置においては、使用者は浴槽に出入りする時には、この壁面に取付けられた手摺の方に体を向けてその手でこれを把持して自分の姿勢を安定させた状態で、浴槽の側壁を横歩き状態で跨いで該浴槽に出入りしなければならないことから、横向き状態（即ち、身体を浴槽の側壁に沿う方向に向けた状態）での動作が多くなり、軽快性あるいは安全性という点において問題が残る。
【０００５】
また、浴槽固定タイプの手摺装置においては、該手摺装置が浴槽の側壁上に固定され、且つ上記把持部が比較的小さいが、例えば、浴槽の側壁を跨いで浴槽へ出入りする時には該把持部が浴槽使用者の体の近くにあることからこれを把持することは比較的容易であるものの、浴槽使用者の浴槽への接近移動時あるいは浴槽からの離間移動時（即ち、浴槽使用者が上記把持部から比較的離れた位置にある時）には、該浴槽使用者が上記把持部を掴んで自己の姿勢保持を図ることが難しく、浴槽使用者に対する姿勢保持機能を十分に得ることができないという問題があった。
【０００６】
そこで本願発明は、浴槽への出入り時は勿論及びこと、該浴槽への接近移動時あるいは浴槽からの離間移動時においても浴槽利用者に対する姿勢保持を支援し得るとともに、その移動方向を浴槽に対面する方向（即ち、歩き易い方向）とすることで、高い安全性と軽快な使用性を兼ね備えた浴槽用手摺装置を提供することを目的としてなされたものである。
【課題を解決するための手段】
【０００７】
本願発明ではかかる課題を解決するための具体的手段として次のような構成を採用している。
【０００８】
本願の第１の発明では、浴槽の近傍の床面に載置される基台と、該基台上に立設配置された手摺ユニットを備えた浴槽用手摺装置において、上記手摺ユニットが、上記基台上に立設された第１支柱と、上記浴槽の側壁に取付けた固定具に立設された第２支柱と、これら第１支柱と第２支柱の上端間に跨って上記浴槽の側壁に対向する方向に延びる手摺体を備えたことを特徴としている。
【０００９】
本願の第２の発明では、上記第１の発明に係る浴槽用手摺装置において、上記手摺ユニットを、上記基台の幅方向の両端側にそれぞれ設けたことを特徴としている。
【００１０】
本願の第３の発明では、上記第１又は第２の発明に係る浴槽用手摺装置において、上記各支柱の高さ寸法を増減調整可能に構成したことを特徴としている。
【００１１】
本願の第４の発明では、上記第１、第２又は第３の発明に係る浴槽用手摺装置において、上記第１支柱が、上記浴槽の側壁に対向する方向に複数個列設されていることを特徴としている。
【００１２】
本願の第５の発明では、上記第１、第２、第３又は第４の発明に係る浴槽用手摺装置において、上記基台上と上記浴槽の底面上の何れか一方に、又は双方に、踏み台が配置されていることを特徴としている。
【発明の効果】
【００１３】
本願発明では次のような効果が得られる。
【００１４】
（ａ）本願の第１の発明
本願の第１の発明に係る浴槽用手摺装置によれば、浴槽の近傍の床面に載置される基台と、該基台上に立設配置された手摺ユニットを備えた浴槽用手摺装置において、上記手摺ユニットが、上記基台上に立設された第１支柱と、上記浴槽の側壁に取付けた固定具に立設された第２支柱と、これら第１支柱と第２支柱の上端間に跨って上記浴槽の側壁に対向する方向に延びる手摺体を備えているので、例えば、浴室内から上記浴槽側へ移動して該浴槽内の湯に入ろうとする場合には、浴室内を浴槽の手前まで進んだ後、身体を上記浴槽側へ向けた状態のまま、上記手摺体の上記第１支柱寄りの端部を把持し、そのまま該手摺体を伝って通常の歩行状態で上記第２支柱寄りの端部側まで移動し、ここで該手摺体を掴んだまま、上記浴槽の側壁その外側から内側へ乗り越えて該浴槽内に入れば良い。
【００１５】
また、逆に上記浴槽内から出る場合には、該浴槽内で立ち上がり、上記手摺体の上記第２支柱寄りの端部を掴んで体勢を保持した状態で、身体を該浴槽の外側（即ち、移動方向の前方側）へ向けた姿勢で、上記浴槽の側壁をその内側から外側へ乗り越えて該浴槽外へ移動し、さらに身体を移動方向の前方側へ向けて通常の歩行状態のまま、上記手摺体を伝って上記第１支柱寄りの端部側まで移動すれば良い。
【００１６】
即ち、この浴槽用手摺装置によれば、浴槽の側壁を跨いで該浴槽に出入りする際のみならず、該浴槽の外側での移動時においても上記手摺体による姿勢保持作用を得ることができることから、従来の手摺装置のように浴槽への出入り時においてのみ姿勢保持作用が発揮すされるような場合に比して、浴槽使用者に対する保護効果がより一層向上することになる。
【００１７】
また、上記手摺体が、上記浴槽の側壁に対向する方向に延出していることから、浴槽使用者は身体を上記浴槽に対向させた姿勢、あるいは背向させた姿勢で（即ち、通常の歩行姿勢で）上記手摺体を伝ってより安全に移動でき、より安全性の高い浴槽用手摺装置を提供できる。
【００１８】
（ｂ）本願の第２の発明
本願の第２の発明では、上記（ａ）に記載の効果に加えて、以下のような特有の効果が得られる。即ち、この発明では、上記手摺ユニットを、上記基台の幅方向の両端側にそれぞれ設けているので、浴槽使用者はこれら両側の手摺ユニットを同時に、あるいはいずれか一方を選択的に把持しながら移動することで、例えば、該手摺ユニットが上記基台の幅方向の一方側のみに設けられている場合に比して、浴槽使用者に対する保護効果が向上するとともに、その使用性が良好となる。。
【００１９】
また、人は無意識のうちに、利き腕で手摺体を把持することが多いが、この発明のように上記手摺ユニットが上記浴槽の手前側の通路部分の左右両側に設けられていると、上記浴槽に向かう場合も、浴槽から出てくる場合も、常に利き腕で手摺体を把持することができ、例えば、上記手摺ユニットが通路部分の左右一方側のみに設けられ、利き腕での手摺体の把持が、浴槽に向かう場合と浴槽から出てくる場合の何れか一方側においてのみ可能となる場合に比して、浴槽使用者に対する保護効果が向上する。
【００２０】
（ｃ）本願の第３の発明
本願の第３の発明では、上記（ａ）又は（ｂ）に記載の効果に加えて、以下のような特有の効果が得られる。即ち、この発明では、上記各支柱の高さ寸法を増減調整可能に構成しているので、浴槽使用者は、その体格とか好みに合わせて上記手摺体の高さを調整することで、上記手摺体をより好ましい姿勢で的確に把持することができ、浴槽使用者に対する保護効果が向上する。
【００２１】
（ｄ）本願の第４の発明
本願の第４の発明では、上記（ａ）、（ｂ）又は（ｃ）に記載の効果に加えて、以下のような特有の効果が得られる。即ち、この発明では、上記第１支柱を、上記浴槽の側壁に対向する方向に複数個列設しているので、該手摺体の支持剛性が高く、それだけ浴槽使用者に対する保護作用における信頼性が向上する。
【００２２】
（e）本願の第５の発明
本願の第５の発明では、上記（ａ）、（ｂ）、（ｃ）又は（ｄ）に記載の効果に加えて、以下のような特有の効果が得られる。即ち、この発明では、上記基台上と上記浴槽の底面上の何れか一方に、又は双方に、踏み台を配置したので、上記浴槽の側壁の高さが大きい場合でも上記踏み台を使用することで該側壁を容易に乗り越えて浴槽に出入りすることができ、浴槽の側壁高さに対する適応性の高い浴槽用手摺装置を得ることができる。
【図面の簡単な説明】
【００２３】
【図１】本願発明の第１の実施形態に係る浴槽用手摺装置の全体斜視図である。
【図２】図１のＡ−Ａ矢視図である。
【図３】本願発明の第２の実施形態に係る浴槽用手摺装置の全体斜視図である。である。
【発明を実施するための形態】
【００２４】
「第１の実施形態」
図１及び図２には、本願発明の第１の実施形態に係る浴槽用の手摺装置Ｚ１を、浴槽３０の側壁３１に近接させて設置した状態を示している。
【００２５】
この手摺装置Ｚ１は、上記浴槽３０の近傍の床面上に載置された略長方形上の平面形体をもつ基台１に、次述の手摺ユニット２を取り付けて構成される。
【００２６】
上記手摺ユニット２は、上記基台１の一方の短辺縁部において短辺方向に所定間隔をもって立設された二つの支柱５と支柱８（これら二つの支柱５，８で特許請求の範囲中の第１支柱」が構成される）と、上記浴槽３０の側壁３１にその上方から鞍座状態で嵌合配置された固定具１５の上面に立設された支柱１１と、これら上記各支柱５，８，１１の上端同士に跨って取り付けられた手摺体１２を備えて構成される。
【００２７】
ここで、上記支柱５は、上記基台１に立設された脚柱３と該脚柱３に伸縮可能に内挿された伸縮柱４を備えた伸縮構造とされる。また、上記支柱８は、上記基台１に立設された脚柱６と該脚柱６に伸縮可能に内挿された伸縮柱７を備えた伸縮構造とされる。さらに、上記支柱１１は、上記固定具１５に立設された脚柱９と該脚柱９に伸縮可能に内挿された伸縮柱１０を備えた伸縮構造とされる。
【００２８】
また、上記手摺体１２は、その両端部をそれぞれ環状の前側把持部１２ａと後該把持部１２ｄとするとともに、これら前側把持部１２ａと後該把持部１２ｄの間に、上記後該把持部１２ｄ側に向かって上昇傾斜する傾斜把持部１２ｂと略水平に延出する水平把持部１２ｃを備えた屈曲形体とされる。そして、この手摺体１２は、上記前側把持部１２ａと傾斜把持部１２ｂの境部近傍が上記支柱５に上端に固定され、上記傾斜把持部１２ｂと水平把持部１２ｃの境部近傍が上記支柱８の上端に固定されるとともに、上記水平把持部１２ｃと後該把持部１２ｄの境部近傍が上記支柱１１の上端に固定されることで、上記各支柱５，８，１１と一体化されている。
【００２９】
なお、上記各支柱５，８，１１は、図示しない固定材によって任意の伸縮位置で固定できるようになっている。また、上記固定具１５は、図２に示すように、略Ｕ形の断面形状をもつとともに、その一方の壁面には締結具１６が備えられており、該締結具１６を締め込むことで上記固定具１５を上記側壁３１に固定することができるようになっている。ただし、この固定具１５は、上記構成に限定されるものではなく、上記側壁３１に固定できる構成であれば十分である。
【００３０】
上記手摺装置Ｚ１を上記浴槽３０の側壁３１の直前位置に載置した状態では、図２に示すように、上記手摺体１２の前側把持部１２ａは上記基台１よりも手前側に延出し、また上記後該把持部１２ｄは上記浴槽３０内に延出した状態となっている。したがって、例えば、浴室内を上記浴槽３０側に向かって歩いて行く入浴動作時には、より早い段階から上記手摺体１２を把持し、これを伝って姿勢保持しながら上記浴槽３０に近づくことができる。そして、ここで浴槽使用者が上記側壁３１をその外側から跨いで上記浴槽３０内に進入する際は、該側壁３１を跨ぐ時点から浴槽３０内に身体が十分に進入するまでの期間、上記後該把持部１２ｄによる姿勢保持作用が継続される。
【００３１】
また、逆に、上記浴槽３０に入った状態から、該浴槽３０の外側へ移動する際には、上記浴槽３０内において上記手摺体１２の後該把持部１２ｄを的確に把持した状態で、上記側壁３１をその内側から外側へ跨いで浴槽３０から出るとともに、さらに該浴槽３０から出た後は、上記手摺体１２の水平把持部１２ｃ、傾斜把持部１２ｂ、さらに前側把持部１２ａを順次伝って姿勢保持しながら安全に移動することができる。
【００３２】
なお、上記側壁３１の床面からの高さが大きいと、この側壁３１を跨いで浴槽３０に出入りしにくくなるが、この場合には、図２に鎖線図示するように、上記基台１に踏み台３５を、また上記浴槽３０の底面３２上に踏み台３６を載置すれば良い。
【００３３】
また、上記手摺体１２が、上記浴槽３０に対する進入及び退出方向（即ち、上記側壁３１に対向する方向）に延出していることから、浴槽使用者が上記浴槽３０側に進退移動する場合には、浴槽使用者は身体を前面に向けた通常の歩行姿勢のまま移動して、上記手摺体１２を的確に把持することができることから、該手摺体１２による浴槽使用者に対する姿勢保持作用、支援作用が確実となり、その浴槽使用者の安全な移動が担保される。
【００３４】
「第２の実施形態」
図３には、本願発明の第２の実施形態に係る浴槽用の手摺装置Ｚ２を浴槽３０の直前位置に設置した状態を示している。
【００３５】
この実施形態の手摺装置Ｚ２は、上記第１の実施形態における手摺装置Ｚ１と基本構成を同じにするものであって、これと異なる点は、上記手摺装置Ｚ１では上記手摺ユニット２が上記基台１の一方の端部寄りに一つだけ設けられていたのに対して、この実施形態の手摺装置Ｚ２では該基台１の左右両端部寄りにそれぞれ一つ、合せて二つ設けられている点である。
【００３６】
このように上記手摺ユニット１２を、上記基台１の幅方向の両端側にそれぞれ設けたことで、浴槽使用者はこれら両側の手摺ユニット２の手摺体１２を同時に、あるいは選択的に把持しながら移動することができ、例えば、該手摺ユニット２が上記基台１の幅方向の一方側にしかに設けられていない場合に比して、浴槽使用者に対する姿勢保持作用、支援作用がより確実となる。
【００３７】
また、人は無意識のうちに、利き腕で手摺体１２を把持することが多いが、この実施形態の手摺装置Ｚ２のように上記手摺ユニット２が上記浴槽３０の手前側の通路部分の左右両側に設けられていると、該浴槽３０に向かう場合も、該浴槽３０から出てくる場合も、常に利き腕で手摺体１２を把持することができる。この結果、例えば、上記手摺ユニット２が通路部分の左右一方側のみに設けられ、利き腕での手摺体１の把持が、浴槽３０に向かう場合と浴槽３０から出てくる場合の何れか一方側においてのみ可能となるような場合に比して、浴槽使用者に対する保護効果が向上する。
【００３８】
なお、上記以外の作用効果は、上記手摺装置Ｚ１における場合と同様であることから、上記第１の実施形態における該当説明を援用し、ここでの説明を省略する。
【産業上の利用可能性】
【００３９】
本願発明に係る浴槽用手摺装置は、主として介護分野において広く利用されるものである。
【符号の説明】
【００４０】
１  ・・基台
２  ・・手摺ユニット
５  ・・支柱
８  ・・支柱
１１  ・・支柱
１２  ・・手摺体
１５  ・・固定具
３０  ・・浴槽
【図１】
2020065889.tif 000003
【図２】
2020065889.tif 000004
【図３】
2020065889.tif 000005